(57)【要約】【課題】オリジナルＣＤやＤＶＤを作成した場合に、高品位のディスクケース用ジャケットシートを作成する。【解決手段】受付店３０にオリジナルＣＤ等の収納ケースに収納されるジャケットシートに使用する画像又は画像データを持ち込む。受付店３０では、ジャケットシート作成用ソフトウエアを用いて、これら画像又は画像データからジャケット用の画像データを作成する。作成された画像データに基づいて、ラボ機３６によりデジタルプリントを実行する。この際、幅１２０ｍｍの写真用印画紙を用いることにより、高品位のジャケットシートを作成することができる。【選択図】        図６
2004295995.tif 000002
【特許請求の範囲】
【請求項１】
音声又は映像が記録することができる光学記録ディスクを収納する透明なケースの内部に装着されるディスクケース用ジャケットシートが、前記ディスクに記録された内容を表す情報及び画像をプリントした写真用印画紙であることを特徴とするディスクケース用ジャケットシート。
【請求項２】
音声又は映像が記録された光学記録ディスクを収納する透明なケースの内部に装着されるディスクケース用ジャケットシートの作成方法において、
ロール状の写真用印画紙に前記ディスクに記録された内容を示す情報及び画像をプリントし、印画紙現像処理を行った後に写真用印画紙をケースのサイズに応じて所定の長さ毎に切断することを特徴とするディスクケース用ジャケットシートの作成方法。
【請求項３】
前記情報及び画像をプリントするためのプリントデータは所定の画像データ作成用プログラムを用いてユーザによって作成され、この作成されたプリントデータをユーザ用端末機から写真現像所の注文受付サーバにインターネットを介して送信し、この送信されたプリントデータに基づいて現像所でプリント処理が行われることを特徴とする請求項２記載のディスクケース用ジャケットシートの作成方法。
【発明の詳細な説明】
【０００１】
【発明の属する技術分野】
本発明は、光学記録ディスクを収納するための透明なディスクケースの内部に装着されるディスクケース用ジャケットシート及びその作成方法に関するものである。
【０００２】
【従来の技術】
近年、音楽や画像を記録する記憶媒体としてコンパクトディスク（以下、ＣＤという）が、画像や動画を記録する記録媒体としてデジタルバーサタイルディスク（以下、ＤＶＤという）が普及している。これらＣＤやＤＶＤ等の光学記録ディスクは透明なプラスチック製のディスクケースに入れられた状態で販売や持ち運びが行われる。このディスクケースの中には、ＣＤやＤＶＤに記録されたデータに基づく情報（題名や歌詞等）や、記録された画像及び動画のイメージを表現するための写真や絵柄等が印刷されたジャケットシートが装着されている。
【０００３】
一方、音楽、画像及び動画のデータが記録されていないＣＤ−Ｒ（レコーダブル）やＤＶＤ−Ｒ等の光学記憶ディスクを使用して、ユーザが所有するパーソナルコンピュータ（以下、ＰＣ）等によりオリジナルＣＤやＤＶＤを作成することも普及している。個人的にオリジナルＣＤやＤＶＤを作成した場合、上記ジャケットシートもオリジナルで作成するユーザが多い。この場合、ユーザはジャケットシート作成用のソフトウエアを用いてジャケットシートのイメージ画像を作成し、そのイメージ画像をインクジェットプリンタ等を用いてプリントするのが一般的である。
【０００４】
【発明が解決しようとする課題】
しかしながら、ジャケットシート作成用のソフトウエアによりジャケットシートの画像データを作成し、上記プリンタ等を用いて印刷を行った場合、ディスクケースに合うように印刷された印画紙を裁断する必要があり面倒である。また、上記インクジェットプリンタを用いた場合にはプリントされた画像の画質が悪く、市販されているＣＤやＤＶＤに収納されたジャケットシートに対して見劣りしてしまうという問題がある。
【０００５】
本発明は、オリジナルＣＤやＤＶＤを作成した場合に、これら光学記録ディスクを収納するディスクケースに装着されるディスクケース用ジャケットシートを高画質なものとするとともに、このようなディスクケース用ジャケットシートの作成方法を提供することを目的とする。
【０００６】
【課題を解決するための手段】
上記目的を達成するために、本発明のディスクケース用ジャケットシートは、音声又は映像が記録することができる光学記録ディスクを収納する透明なケースの内部に装着されるディスクケース用ジャケットシートが、前記ディスクに記録された内容を表す情報及び画像をプリントした写真用印画紙からなるものである。
【０００７】
また、ディスクケース用ジャケットシートの作成方法としては、ロール状の写真用印画紙に前記ディスクに記録された内容を示す情報及び画像をプリントし、印画紙現像処理を行った後に写真用印画紙をケースのサイズに応じて所定の長さ毎に切断するものである。
【０００８】
この場合、前記情報及び画像をプリントするためのプリントデータは所定の画像データ作成用プログラムを用いてユーザによって作成され、この作成されたプリントデータをユーザ用端末機から写真現像所の注文受付サーバにインターネットを介して送信し、この送信されたプリントデータに基づいて現像所でプリント処理が行われることが好ましい。
【０００９】
【発明の実施の形態】
図１は、ＣＤやＤＶＤ等の光学記録ディスクを収納するためのディスクケース（以下、収納ケースとする）の概略形状を示す斜視図である。なお、図１に示す収納ケース２は、簡易型の収納ケースである。この収納ケース２は蓋部材３とケース本体４とから構成される。蓋部材３は透明なプラスチックから形成されており、ケース本体４に回動自在に設けられている。この蓋部材３の後面には、表側ジャケット５の挿入時にガイドし、蓋部材３から表側ジャケット５の脱落を防止するための係止爪６が上部２箇所及び下部２箇所の計４箇所形成されている。また、蓋部材３の後面には、収納される表側ジャケット５を所定位置に保持するための位置規制片７，８が設けられる。これにより、表側ジャケットシート５が蓋部材３の後面に収納された場合には、この蓋部材３を通して表側ジャケットシート５に記載されたタイトル等の情報や、光学記録媒体９に記録された音楽や映像等のイメージ画像が表示される。ケース本体４はプラスチックから形成されており、その中央には光学記録媒体９を保持するための保持部１０が形成されている。なお、この収納ケース２のケース本体４は透明又は半透明のプラスチック、若しくは不透明なプラスチックから形成されるものである。
【００１０】
図２に示すように、収納ケースの中には、簡易型の収納ケース２の他に、表側ケース１５と、光学記録媒体９を保持する保持部を備えた保持板１６と、この保持板１６が取り付けられ、且つ表側ケース１５が回動自在に組み付けられる裏側ケース１７とから構成される収納ケース２０がある。この場合、表側ケース１５及び裏側ケース１７は、透明なプラスチックからそれぞれ形成される。なお、保持板１６は透明又は半透明のプラスチックでもよいし、不透明なプラスチックから形成してよいものとする。この収納ケース２０の場合は、収納ケース用ジャケットシートは、表側ケース１５に収納される表側ジャケットシート５の他に、保持板１６と裏側ケース１７との間に収納される裏側ジャケットシート２１とから構成される。なお、裏側ジャケットシート２１の中には、収納ケース２０の両側面の表示、所謂背表紙の表示を行うものがある。
【００１１】
表側ジャケットシート５には、光学記録媒体９に記録された音楽及び映像のタイトル２５等の情報を示す文字等の他に、記録された音楽や映像のイメージ画像２６がプリントされた写真用印画紙２２が用いられる。図３及び図４に示すように、表側ジャケットシート５のサイズは、縦１２０ｍｍ×横１２１ｍｍであり、例えば見開きの表側ジャケットシート５の場合には、縦１２０ｍｍ×２４２ｍｍとなり、表紙となる部分５ａにタイトル２５やイメージ画像２６が、後面となる部分５ｂにインデックス２７等がプリントされる。また、図５に示すように、後側ジャケットシート２１も同様に、写真用印画紙２２が用いられており、縦１１８ｍｍ×横１３８ｍｍのサイズから形成される。なお、背表紙用の部分が一体に形成された後側ジャケットシート２１の場合には横のサイズが１５０ｍｍとなる。なお、図４及び図５で示す一点鎖線は、折り曲げる際の折り線である。この表側ジャケットシート５及び後側ジャケットシート２１には、幅１２０ｍｍの写真用印画紙が使用される。
【００１２】
次に、このようなジャケットシートをデジタルプリントで作成する工程を図６を用いて説明する。受付店３０では、オリジナルジャケットシートのプリントサービスの注文を受け付ける際に、店員は注文者３１が持参したネガフイルム３２や、メモリーカード等の記憶媒体３３を預かる。デジタルプリントサービスの注文を行う注文者３１がネガフイルム３２を持参した場合には、店員はスキャナー等の画像読取装置３４を用いてネガフイルム３２の読み取りを行ってデジタル画像データを作成する（矢印Ａ）。その後、図６に示すように、店員はサービス業者用端末（コンピュータ等）３５に内蔵された画像作成ソフトウエアを起動させ、複数のジャケットシート用フォーマットから注文者３１の希望するジャケットシート用フォーマットを決定し、そのフォーマットにデジタル画像データや、タイトル等の文字の重ね合わせを行って、ジャケットシート用の画像データを作成する。これにより、例えば注文者３１が表側ジャケットシート５の作成を注文した場合には表側ジャケットシート５の画像データが、後側ジャケットシート２１の注文の場合には後側ジャケットシート２１の画像データが完成する。なお、完成したジャケットシート用の画像データをモニター等により表示することで、注文者３１がジャケットシート用の画像データを確認することができる。
【００１３】
また、デジタル画像データが保存されたメモリーカード等の記憶媒体３３を注文者３１が持参した場合には、サービス業者用端末３５によりデジタル画像データを読み取って、ネガフイルム３２の場合と同様に、サービス業者用端末３５を用いてジャケットシート用の画像データを作成する（図中矢印Ｂ）。なお、注文者が予めジャケットシート用の画像データを作成していれば、注文者３１はジャケットシート用画像データを記憶した記憶媒体３３を受付店３０に持参し、記憶媒体３３を受付店３０に預けるだけでよい（図中矢印Ｃ）。
【００１４】
受付店３０では作成されたジャケットシート用の画像データ、又は注文者３１が作成したジャケットシート用の画像データを用いて、店内に配設されたラボ機３６でデジタルプリントを行う。図８に示すように、ラボ機３６には、幅１２０ｍｍの写真用印画紙２２が巻き取られた印画紙ロール４０がセットされており、プリントを実行する際には、この印画紙ロール４０から写真用印画紙２２が送り出される。そして、送り出された写真用印画紙２２は、プリントヘッド４１による露光処理、現像処理部４２による現像処理が行われる。そして、カッタ４３により所定の長さに裁断され、トレイ４４に排出される。なお、表側ジャケットシート５と後側ジャケットシート２１の横のサイズは予め分かっているから、ラボ機３６にサイズを入力しておけば、カッタ４３によりジャケットシートの横のサイズに合うように裁断される。また、裏側ジャケットシート２１の幅は表側ジャケットシート５の幅よりも２ｍｍ短いので、店員はプリント終了後に裁断機等を用いて余白の部分を裁断する。これにより、高画質な表側ジャケットシート又は裏側ジャケットシートが完成する。なお、注文者３１は出来上がったジャケットシートを受付店３０に受け取りに行けばよい。これにより、オリジナルＣＤやＤＶＤを作成した場合に、記録された内容をイメージした高品質の表側ジャケットシート及び裏側ジャケットシートを簡単に入手することができる。
【００１５】
なお、注文者３１は、ジャケットシートに用いる画像データと、インターネットに接続された端末があれば、簡単にジャケットシートのプリントサービスの注文を行うことが可能である。図９に示すように、注文者が電話回線等を経由してインターネット５０に接続できる端末（パーソナルコンピュータ）５１を用いて、まず受付け用サーバ５２に接続する。受付け用サーバ５２に接続すると、まず注文者３１の情報を入力し、画像データの作成に移行する。注文者３１は、複数のジャケットシート用フォーマットから１つを選択し、注文者が希望する画像データを読み込ませ、ジャケットシートに用いる画像データをフォーマットに合うように変更し、ジャケットシート用フォーマットに合成する。そして、タイトル等の情報をフォーマットの任意の位置に重ね合わせ、ジャケットシート用画像データを作成する。そして、ジャケットシート用の画像データが完成した後に完成した画像データを表示させる。この画像データが注文者３１が意図するジャケットシートの画像で有る場合に注文を終了する。なお、予めジャケットシート用の画像データが作成してある場合には、注文時に注文者の情報を入力した後に、作成された画像データを読み込ませるだけで済む。
【００１６】
注文が終了すると、受付用サーバ５２では、注文者３１の情報と、ジャケットシート用の画像データを受付店５３にあるサービス業者用端末５４に送信する。受付店５３では、受信された画像データを用いて、デジタルプリンタ等のラボ機５５でデジタルプリントを行う。なお、プリント時には、上記写真用印画紙２２が用いられる。これにより、注文者３１は受付店に完成した収納ケース用ジャケットシートを受け取りに行けばよいので、簡単に、且つ高品質な収納ケース用ジャケットシートを入手することが可能となる。
【００１７】
【発明の効果】
以上のように、本発明によれば、音声又は映像が記録することができる光学記録ディスクを収納する透明なケースの内部に装着されるディスクケース用ジャケットシートが、前記ディスクに記録された内容を表す情報及び画像をプリントした写真用印画紙からなるので、高品位のジャケットシートを提供することが可能となる。
【００１８】
また、収納ケース用ジャケットシートの画像データを画像作成用プログラムを用いて作成し、作成された画像データを写真用印画紙を用いてプリントするから、高品位のオリジナルのジャケットシートが切り取り等の作業をせずに簡単に入手することができる。
【００１９】
また、本発明のジャケットシートの作成方法によれば、ロール状の写真用印画紙に前記ディスクに記録された内容を示す情報及び画像をプリントし、印画紙現像処理を行った後に写真用印画紙をケースのサイズに応じて所定の長さ毎に切断するから、新たにジャケットシート用の写真用印画紙を設ける必要が無い。また、前記情報及び画像をプリントするためのプリントデータは所定の画像データ作成用プログラムを用いてユーザによって作成され、この作成されたプリントデータをユーザ用端末機から写真現像所の注文受付サーバにインターネットを介して送信し、この送信されたプリントデータに基づいて現像所でプリント処理が行われるから、オリジナルのジャケットシート用の画像データが有れば、簡単にオリジナルのジャケットシートを入手することができる。
【図面の簡単な説明】
【図１】簡易型の収納ケースの構成を示す斜視図である。
【図２】図１で示す収納ケースとは異なる形態の収納ケースを示す斜視図である。
【図３】表側ジャケットシートの仕様を示す平面図である。
【図４】見開き型の表側ジャケットシートの仕様を示す平面図である。
【図５】裏側ジャケットシートの仕様を示す平面図である。
【図６】画像データを受付店に持ち込んだ場合の流れを示す説明図である。
【図７】ジャケットシート用の画像データを作成する流れの概略を示すフローチャートである。
【図８】ラボ機の内部構成の概略を示す説明図である。
【図９】個人端末から注文を行う場合の流れを示す説明図である。
【符号の説明】
２，２０  収納ケース
３  蓋部材
４  ケース本体
５  表側ジャケットシート
１５  表側ケース
１７  裏側ケース
２１  裏側ジャケットシート
２２  写真用印画紙
３０，５３  受付店
３５，５４  サービス業者用端末
３６，５５  ラボ機
【図１】
2004295995.tif 000003
【図２】
2004295995.tif 000004
【図３】
2004295995.tif 000005
【図４】
2004295995.tif 000006
【図５】
2004295995.tif 000007
【図６】
2004295995.tif 000008
【図７】
2004295995.tif 000009
【図８】
2004295995.tif 000010
【図９】
2004295995.tif 000011